(57)【要約】【課題】バックキャビネットに対するＰシャーシの取り付け工程を簡略化することのできるバックキャビネットを提供する。【解決手段】本発明の一態様に係るバックキャビネット（２４）は、表示装置（１）が有する光学シート群（１７）の位置を規制する外側リブ（２４５２）が、当該バックキャビネット（２４）の外縁に沿って設けられており、外側リブ（２４５２）には、表示装置（１）が有する液晶パネル（１５）の裏面を支持するＰシャーシ（１６）に係合するための爪部（２４５７）が設けられている。【選択図】図３２
2014224868.tif 000002
【特許請求の範囲】
【請求項１】
表示装置の背面を覆うためのバックキャビネットであって、
上記表示装置が有する光学シートの位置を規制するリブが、当該バックキャビネットの外縁に沿って設けられており、
上記リブには、上記表示装置が有する表示パネルの裏面を支持するシャーシに係合するための係合部が設けられている、
ことを特徴とするバックキャビネット。
【請求項２】
上記係合部は、爪状に形成されており、上記シャーシが上記表示パネルの法線方向に移動することを防ぐように上記シャーシを係合する、
ことを特徴とする請求項１に記載のバックキャビネット。
【請求項３】
上記リブよりも外縁に近い位置には、上記シャーシと係合するための固定用ボスがさらに形成されている、
ことを特徴とする請求項１又は２に記載のバックキャビネット。
【請求項４】
請求項１から３の何れか１項に記載のバックキャビネットを備えている、
ことを特徴とする表示装置。
【請求項５】
請求項４に記載の表示装置を備えている、
ことを特徴とするテレビジョン受像機。
【発明の詳細な説明】
【技術分野】
【０００１】
本発明は、バックキャビネット、並びに、バックキャビネットを備えた表示装置およびテレビジョン受像器に関するものである。
【背景技術】
【０００２】
近年、テレビに対し、薄型化および軽量化と共に低コスト化が求められてきており、テレビ内部の構造を単純化した直下型バックライトを用いたテレビが普及してきている。このような直下型バックライトを用いたテレビでは、バックライトを構成するＬＥＤ基板を固定するために従来用いられてきたバックライトシャーシを用いないことにより、さらなる低コスト化を図っている。
【０００３】
一方、従来のテレビでは、テレビが有する液晶パネルを映像表示面と反対側の面（裏面）から支持するＰシャーシをバックライトシャーシに対して固定する構成が一般的である。このため、バックライトシャーシを用いないテレビでは、新たにＰシャーシを固定するための構成が必要となる。
【０００４】
特許文献１には、バックライトに直下型バックライトを用いてはいないが、液晶表示装置に液晶パネルを裏面から支持するフレームを設ける構成が記載されている。従来の技術では、特許文献１に記載のフレームなどは、例えばネジ及びビスなどを用いて液晶表示装置に対して固定されている。
【先行技術文献】
【特許文献】
【０００５】
【特許文献１】特開平１１−３３７９３７号公報（１９９９年１２月１０日公開）
【発明の概要】
【発明が解決しようとする課題】
【０００６】
しかしながら、上述のような従来の技術では、フレームを液晶表示装置に固定する際に、当該フレームを例えばネジ及びビスなどによって固定する工程が必要であるため、フレームを固定する際の作業性が悪いという問題がある。
【０００７】
本発明は、上記の課題を解決するためになされたものであり、その目的は、バックキャビネットに対するＰシャーシの取り付け工程を簡略化することのできるバックキャビネットを提供することにある。
【課題を解決するための手段】
【０００８】
本発明の一態様に係るバックキャビネットは、上述の課題を解決するために、表示装置の背面を覆うためのバックキャビネットであって、上記表示装置が有する光学シートの位置を規制するリブが、当該バックキャビネットの外縁に沿って設けられており、上記リブには、上記表示装置が有する表示パネルの裏面を支持するシャーシに係合するための係合部が設けられている、ことを特徴とする。
【発明の効果】
【０００９】
上記の構成によれば、
上記の構成によれば、上記シャーシを、上記光学シートの位置を規制するリブに設けられた係合部によって上記バックキャビネットに係合させることができる。これによって、上記シャーシを上記バックキャビネットに取り付ける際の作業性を向上させることができる。また、上記シャーシを上記バックキャビネットから取り外す際の作業性を向上させることができる。
【００１０】
また、上記シャーシを上記バックキャビネットに直接取り付けることができるため、取り付けのために必要な部品を削減することができる。これによって、上記シャーシの上記バックキャビネットに対する取り付けに関する部品にかかるコストを低減することができる。
【図面の簡単な説明】
【００１１】
【図１】本発明の一実施形態に係る表示装置の概略構成を模式的に示す分解斜視図である。
【図２】本発明の一実施形態におけるＬＥＤ基板およびＬＥＤ基板に結合されたヒートスプレッダの概略構造を示す斜視図であり、（ａ）は、ＬＥＤ基板およびヒートスプレッダをバックキャビネットとは反対側から観察したものを示し、（ｂ）は、ＬＥＤ基板およびヒートスプレッダをバックキャビネット側から観察したものを示す。
【図３】本発明の一実施形態におけるコネクタ付近のＬＥＤ基板およびＬＥＤ基板に結合されたヒートスプレッダの概略構造を示す平面図であり、（ａ）は、短手方向の端部側から観察したものを示し、（ｂ）は、長手方向の端部側から観察したものを示し、（ｃ）は、バックキャビネット２４側から観察したものを示す。
【図４】本発明の一実施形態におけるコネクタとは反対側の長手方向の端部付近のＬＥＤ基板およびＬＥＤ基板に結合されたヒートスプレッダの概略構造を示す斜視図であり、（ａ）は、バックキャビネットとは反対側から観察したものを示し、（ｂ）は、バックキャビネット側から観察したものを示す。
【図５】本発明の一実施形態における分離した状態のＬＥＤ基板およびヒートスプレッダの概略構造を示す斜視図であり、（ａ）はＬＥＤ基板を示し、（ｂ）はヒートスプレッダを示す。
【図６】本発明の一実施形態におけるバックキャビネットの内部側の概略構造を示す斜視図である。
【図７】本発明の一実施形態におけるバックキャビネットにＬＥＤ基板が固定された状態を示す斜視図である。
【図８】本発明の一実施形態におけるＬＥＤ基板のバックキャビネットへの固定の様子を部分的に示す図であり、（ａ）は、ＬＥＤ基板が固定されていない状態を示し、（ｂ）は、ＬＥＤ基板が固定された状態を示す。
【図９】本発明の一実施形態におけるＬＥＤ基板のバックキャビネットへの固定の様子を部分的に示す図であり、（ａ）は、ＬＥＤ基板が固定されていない状態を示し、（ｂ）は、ＬＥＤ基板が固定された状態を示す。
【図１０】本発明の一実施形態におけるＬＥＤ基板のバックキャビネットへの固定の様子を部分的に示す図であり、（ａ）は、ＬＥＤ基板が固定されていない状態を示し、（ｂ）は、ＬＥＤ基板が固定された状態を示す。
【図１１】本発明の一実施形態におけるＬＥＤ基板のバックキャビネットへの固定の様子を部分的に示す図であり、（ａ）は、ＬＥＤ基板が固定されていない状態を示し、（ｂ）は、ＬＥＤ基板が固定された状態を示す。
【図１２】本発明の一実施形態におけるＬＥＤ基板のバックキャビネットへの固定方法を説明する図であり、（ａ）は、固定用リブのみを示す斜視図であり、（ｂ）は、ＬＥＤ基板が固定用リブに緩嵌された状態を示す斜視図であり、（ｃ）は、ＬＥＤ基板が固定用リブに固定された状態を示す斜視図である。
【図１３】本発明の一実施形態におけるリブ（第一の突起部）の詳細な構成を示す上面図であり、（ａ）は、ＬＥＤ基板が固定用リブに緩嵌された状態におけるリブ（第一の突起部）とＬＥＤ基板２２との関係を示し、（ｂ）は、ＬＥＤ基板が固定用リブに固定された状態におけるリブ（第一の突起部）とＬＥＤ基板との関係を示す。
【図１４】本発明の一実施形態におけるリブの詳細な構成を示す側方断面図である。
【図１５】本発明の一実施形態におけるリブの詳細な構成を示す図であり、（ａ）は、ＬＥＤ基板に対向する側とは反対側からリブを観察した平面図であり、（ｂ）は、リブにＬＥＤ基板が挿入される様子を示す側面図である。
【図１６】本発明の一実施形態におけるクリップの概略構造を示す図であり、（ａ）は、クリップ単体を示す側面図であり、（ｂ）は、クリップがＬＥＤ基板に固定された状態を示す斜視図である。
【図１７】本発明の一実施形態におけるクリップの概略配置を示す斜視図である。
【図１８】従来技術におけるクリップと本発明の一実施形態におけるクリップとが光学部材にそれぞれ形成する影を対比する図であり、（ａ）は、従来技術におけるクリップが光学部材に形成する影を示す図であり、（ｂ）は、本発明の一実施形態におけるクリップが光学部材に形成する影を示す図である。
【図１９】本発明の一実施形態におけるクリップがＬＥＤ基板に固定された状態を示す斜視図である。
【図２０】本発明の一実施形態におけるクリップがＬＥＤ基板に固定された状態を示す斜視図である。
【図２１】本発明の一実施形態におけるクリップがＬＥＤ基板に固定された状態を、バックキャビネット側から観察した平面図である。
【図２２】本発明の一実施形態におけるクリップがＬＥＤ基板に固定された状態を示す側面図である。
【図２３】本発明の一実施形態におけるバックキャビネットにＬＥＤ基板が固定され、クリップがＬＥＤ基板に固定された状態を示す斜視図である。
【図２４】本発明の一実施形態に係るバックキャビネットの一部分を示す拡大斜視図である。
【図２５】本発明の一実施形態に係るバックキャビネットの外縁の一部分を示す拡大斜視図である。
【図２６】図２５に示すバックキャビネットのＡ−Ａ断面図である。
【図２７】本実施形態に係るバックキャビネット２４及び光学シート群１７の一部分を示す拡大斜視図である。
【図２８】本発明の一実施形態に係る上側Ｐシャーシの外観の一部分を示す拡大図であって、（ａ）は上側Ｐシャーシの正面図であり、（ｂ）は上側Ｐシャーシの斜視図である。
【図２９】本発明の一実施形態に係る右側Ｐシャーシの外観の一部分を示す拡大図であって、（ａ）は右側Ｐシャーシの正面図であり、（ｂ）は右側Ｐシャーシの斜視図である。
【図３０】本発明の一実施形態に係るバックキャビネット、光学シート群及びＰシャーシの一部分を示す拡大斜視図である。
【図３１】本発明の一実施形態に係る表示装置を下側から見た斜視図である。
【図３２】図３１に示す表示装置のＢ−Ｂ断面図である。
【図３３】図３１に示す表示装置のＣ−Ｃ断面図である。
【図３４】図３１に示す表示装置のＤ−Ｄ断面図である。
【図３５】本発明の一実施形態に係るフロントキャビネットの背面斜視図である。
【図３６】本発明の一実施形態に係るバックキャビネットに光学シート群を配置した状態を示す正面図である。
【図３７】本発明の一実施形態に係るバックキャビネットに光学シート群及びＰシャーシを配置した状態を示す正面図である。
【図３８】本発明の一実施形態に係るバックキャビネットに光学シート群、Ｐシャーシ、液晶パネル及びベゼルを配置した状態を示す正面図である。
【図３９】本発明の一実施形態に係る下側ベゼルの外観を示す正面図である。
【発明を実施するための形態】
【００１２】
本発明の一実施形態に係る表示装置について、図１から図３９を用いて説明する。本実施形態に係る表示装置は、これに限定されないが、例えば、テレビジョン受像機であり得る。なお、以下の説明では本発明を実施するために好ましい種々の限定が付加されているが、本発明の技術的範囲は以下の実施形態及び図面の記載に限定されるものではない。
【００１３】
（表示装置の構成）
図１は、本発明の一実施形態に係る表示装置１の概略構成を模式的に示す分解斜視図である。本実施形態において表示装置１は、液晶表示装置である。
【００１４】
図１に示すように、表示装置１は、フロントキャビネット１０、デコシート１１、ランプ１２、リモコン回路１３、ベゼル１４、液晶パネル１５、Ｐシャーシ１６、光学シート群１７、拡散板１８、反射シート１９、クリップ２０、ＬＥＤ基板２２、ヒートスプレッダ２３、バックキャビネット２４、ホルダ２５、ボトムブラケット２６、サポートブラケット２７、メイン回路２８、電源回路２９、スタンド３０、補助回路３６、ボタン３７、スピーカ３８、トップカバー３９およびボトムカバー４０を備えている。
【００１５】
以下、各部材の詳細について説明する。なお、表示装置１において表示画面が存在する側を正面と称し、その反対側を背面と称する。
【００１６】
（フロントキャビネットおよびバックキャビネット）
フロントキャビネット１０は、主に、表示装置１の正面を覆う筐体である。バックキャビネット２４は、主に、表示装置１の背面を覆う筐体である。フロントキャビネット１０およびバックキャビネット２４は、主に、例えばプラスチック等の射出成型物によって構成されている。
【００１７】
フロントキャビネット１０とバックキャビネット２４との間には、フロントキャビネット１０側から順に、ベゼル１４、液晶パネル１５、Ｐシャーシ１６、光学シート群１７、拡散板１８、反射シート１９、ＬＥＤ基板２２およびヒートスプレッダ２３が重ねられて格納されている。
【００１８】
フロントキャビネット１０およびバックキャビネット２４の詳細な構造については適宜後述する。
【００１９】
（ＬＥＤ基板およびヒートスプレッダ）
図２〜図５を参照して、ＬＥＤ基板（基板）２２およびヒートスプレッダ（放熱板）２３について詳細に説明する。
【００２０】
図２は、ＬＥＤ基板２２およびＬＥＤ基板２２に結合されたヒートスプレッダ２３の概略構造を示す斜視図である。図２の（ａ）は、ＬＥＤ基板２２およびヒートスプレッダ２３をバックキャビネット２４とは反対側から観察したものを示し、図２の（ｂ）は、ＬＥＤ基板２２およびヒートスプレッダ２３をバックキャビネット２４側から観察したものを示す。
【００２１】
図３は、コネクタ２２１付近のＬＥＤ基板２２およびＬＥＤ基板２２に結合されたヒートスプレッダ２３の概略構造を示す平面図である。図３の（ａ）は、短手方向の端部側から観察したものを示し、図３の（ｂ）は、長手方向の端部側から観察したものを示し、図３の（ｃ）は、バックキャビネット２４側から観察したものを示す。
【００２２】
図４は、コネクタ２２１とは反対側の長手方向の端部付近のＬＥＤ基板２２およびＬＥＤ基板２２に結合されたヒートスプレッダ２３の概略構造を示す斜視図である。図４の（ａ）は、バックキャビネット２４とは反対側から観察したものを示し、図４の（ｂ）は、バックキャビネット２４側から観察したものを示す。
【００２３】
図５は、分離した状態のＬＥＤ基板２２およびヒートスプレッダ２３の概略構造を示す斜視図であり、（ａ）はＬＥＤ基板２２を示し、（ｂ）はヒートスプレッダ２３を示す。
【００２４】
ＬＥＤ基板２２は、バックライトシャーシ等を用いないでバックキャビネット２４に直接固定され、バックキャビネット２４とは反対側の面にＬＥＤ素子（光源）２２０が配置されている基板である。このようにＬＥＤ基板２２をバックキャビネット２４に直接固定することにより、部品点数を抑え、組み立て工程を簡略化することができる。
【００２５】
ＬＥＤ基板２２は短冊形の形状を有しており、その長手方向に沿って複数のＬＥＤ素子２２０が並んで配置されている。このようにＬＥＤ基板２２を構成することにより、複数のＬＥＤ素子２２０を簡易に表示装置１内に配置することができる。
【００２６】
ＬＥＤ基板２２の長手方向の一方の端部には、メイン回路２８に電気的に接続するためのコネクタ２２１が設けられている。また、ＬＥＤ基板２２には、コネクタ２２１と各ＬＥＤ素子２２０とを電気的に接続するための回路が設けられている（図示せず）。
【００２７】
ＬＥＤ基板２２には、後述する機能のため、複数の切り欠きおよび開口が設けられている。すなわち、ＬＥＤ基板２２の短手方向の端部に、半円状の切り欠き２２２が設けられている。また、切り欠き２２２に隣接して、切り欠き２２２よりも大きい半円状の切り欠き２２３が設けられている。また、ＬＥＤ基板２２の短手方向の両端部の対応する位置に、矩形の切り欠き２２６が設けられている。また、ＬＥＤ基板２２における短手方向の中央に、長手方向に細長い開口２２４および同じく長手方向に細長い開口２２５が設けられている。
【００２８】
ヒートスプレッダ２３は、短手断面がコの字状であり、一対の側面部２３ａおよび底面部２３ｂを備え、底面部２３ｂがＬＥＤ基板２２におけるバックキャビネット２４側の面に結合している放熱板である。このように、短手断面がコの字状であるヒートスプレッダ２３を用いることにより、簡易な構成で、ＬＥＤ基板２２の放熱効率を向上し、ＬＥＤ基板２２の反りを抑制することができる。すなわち、短手断面をコの字状とすることにより、ヒートスプレッダ２３の表面積を広くして、気中への放熱効果を向上させることができるため、ヒートスプレッダ２３に結合されたＬＥＤ基板２２の放熱効率を向上することができる。また、短手断面をコの字状とすることにより、ヒートスプレッダ２３の剛性を高めることができるため、ヒートスプレッダ２３に結合されたＬＥＤ基板２２の反りを抑制することができる。これにより、ＬＥＤ基板２２をバックキャビネット２４に直接固定した場合であっても、ＬＥＤ基板２２の放熱効率を十分に確保し、ＬＥＤ基板２２の反りを抑制することができる。また、バックキャビネット２４の強度を補強する効果も有する。また、ヒートスプレッダ２３を軽量に構成することができる。
【００２９】
ヒートスプレッダ２３は、金属などの、放熱性がＬＥＤ基板２２に比べて高い物質によって形成することが好ましい。これにより、ＬＥＤ基板２２の放熱効率をより向上させることができる。例えば、これに限定するものではないが、ヒートスプレッダ２３はＳＰＴＥによって形成することができる。
【００３０】
また、ヒートスプレッダ２３の底面部２３ｂにおける、ＬＥＤ基板２２に設けられた開口に対応する位置に、開口が設けられている。すなわち、ＬＥＤ基板２２における開口２２４の直下に、開口２２４と同じ形状の開口２３１が設けられている。また、ＬＥＤ基板２２における開口２２５の直下に、開口２２５と同じ形状の開口２３２が設けられている。また、ヒートスプレッダ２３の側面部２３ａにおける、開口２３２に隣接する位置には、開口２３３が設けられている。これらの機能については後述する。
【００３１】
また、ＬＥＤ基板２２の長手方向における少なくとも一方の端部側において、ヒートスプレッダ２３が露出していてもよい。図４に示すように、本実施形態では、ＬＥＤ基板２２におけるコネクタ２２１とは反対側の長手方向の端部（図中Ａ）において、ヒートスプレッダ２３の露出部分２３０が存在している。このように露出部分２３０を設けることにより、ヒートスプレッダ２３が空気に接する面積を増大させ、放熱効率をより向上させることができる。なお、露出部分２３０では、中央部に溝が形成されている。この機能については後述する。
【００３２】
ヒートスプレッダ２３とＬＥＤ基板２２とは、熱伝導する態様で結合していればよい。例えば、これに限定するものではないが、ヒートスプレッダ２３とＬＥＤ基板２２とは、熱伝導両面テープによって結合することができる。
【００３３】
なお、ヒートスプレッダ２３が金属のような導電体によって構成されている場合、ＬＥＤ基板２２のアース電位部と、ヒートスプレッダ２３とを電気的に接続してもよい。これにより、導電体からなるヒートスプレッダ２３をＬＥＤ基板２２のグランド接続のための経路として用いることができるとともに、導電体からなるヒートスプレッダ２３が電気的に浮いている場合に生じ得る悪影響を回避することができる。
【００３４】
そして、図７に示すように、ＬＥＤ基板２２を複数列並べることにより、液晶表示装置のバックライトとして好適な平面光源を得ることができる。
【００３５】
なお、本実施形態では、光源としてＬＥＤ素子を用いた場合を例に挙げて説明したが、本発明はこれに限定されるものではなく、例えば、光源として、蛍光管などＬＥＤ素子以外の光源を用いる構成を採用してもよい。
【００３６】
また、本実施形態では、ＬＥＤ基板２２の長手方向は、表示装置１の水平方向に平行であるが、本発明はこれに限定されるものではなく、例えば、ＬＥＤ基板２２の長手方向が、表示装置１の垂直方向に平行になるように配置してもよい。
【００３７】
また、ＬＥＤ基板２２の数および各ＬＥＤ基板２２に配置される光源の数は特に限定されない。
【００３８】
また、本発明において、ヒートスプレッダ２３の短手断面がコの字状とは、側面部２３ａと底面部２３ｂとの角度が３０度以上１５０度以下であることを指す。また、側面部２３ａおよび底面部２３ｂは、平面である必要は無く、一部または全部が曲面であってもよい。
【００３９】
（ＬＥＤ基板のバックキャビネットへの固定）
図６〜図１５を参照して、ＬＥＤ基板２２のバックキャビネット２４への固定について詳細に説明する。
【００４０】
図６は、バックキャビネット２４の内部側（ＬＥＤ基板２２等が存在する側）の概略構造を示す斜視図である。図７は、バックキャビネット２４にＬＥＤ基板２２が固定された状態を示す斜視図である。なお、図７では、見易さのために、ヒートスプレッダ２３は省略して示している。
【００４１】
図６および図７に示すように、バックキャビネット２４には、ＬＥＤ基板２２を固定するための固定用リブ２４０が形成されている。固定用リブ２４０には、形状の異なる幾つかの種類が存在する（リブ２４００〜２４０４）。リブ２４００〜２４０４の詳細を、図８〜図１１に示す。
【００４２】
図８は、図６に示す部位２４２０におけるＬＥＤ基板２２のバックキャビネット２４への固定の様子を示す図である。図８の（ａ）は、ＬＥＤ基板２２が固定されていない状態を示し、図８の（ｂ）は、ＬＥＤ基板２２が固定された状態を示す。
【００４３】
図９は、図６に示す部位２４２１におけるＬＥＤ基板２２のバックキャビネット２４への固定の様子を示す図である。図９の（ａ）は、ＬＥＤ基板２２が固定されていない状態を示し、図９の（ｂ）は、ＬＥＤ基板２２が固定された状態を示す。
【００４４】
図１０は、図６に示す部位２４２２におけるＬＥＤ基板２２のバックキャビネット２４への固定の様子を示す図である。図１０の（ａ）は、ＬＥＤ基板２２が固定されていない状態を示し、図１０の（ｂ）は、ＬＥＤ基板２２が固定された状態を示す。
【００４５】
図１１は、図６に示す部位２４２３におけるＬＥＤ基板２２のバックキャビネット２４への固定の様子を示す図である。図１１の（ａ）は、ＬＥＤ基板２２が固定されていない状態を示し、図１１の（ｂ）は、ＬＥＤ基板２２が固定された状態を示す。
【００４６】
続いて、ＬＥＤ基板２２のバックキャビネット２４への固定方法を、図１２を用いて説明する。図１２の（ａ）は、固定用リブ２４０のみを示す斜視図であり、図１２の（ｂ）は、ＬＥＤ基板２２が固定用リブ２４０に緩嵌された状態を示す斜視図であり、図１２の（ｃ）は、ＬＥＤ基板２２が固定用リブ２４０に固定された状態を示す斜視図である。
【００４７】
ＬＥＤ基板２２をバックキャビネット２４へ固定する際には、まず、図１２の（ａ）に示すような固定用リブ２４０に対して、図１２の（ｂ）に示すようにＬＥＤ基板２２を緩嵌する。この状態において、ＬＥＤ基板２２は、ＬＥＤ基板２２の長手方向に沿って移動可能になっている。そして、図１２の（ｃ）に示すようにＬＥＤ基板２２をＬＥＤ基板２２の長手方向に沿って固定位置まで移動させることによって、ＬＥＤ基板２２をバックキャビネット２４へ固定する。
【００４８】
図１３は、リブ（第一の突起部）２４００の詳細な構成を示す上面図である。図１３の（ａ）は、ＬＥＤ基板２２が固定用リブ２４０に緩嵌された状態におけるリブ２４００とＬＥＤ基板２２との関係を示し、図１３の（ｂ）は、ＬＥＤ基板２２が固定用リブ２４０に固定された状態におけるリブ２４００とＬＥＤ基板２２との関係を示す。
【００４９】
図１３の（ａ）に示すように、リブ２４００は、ＬＥＤ基板２２の短手方向の端部に向かって突出している。そして、ＬＥＤ基板２２が固定用リブ２４０に緩嵌された状態では、リブ２４００は、ＬＥＤ基板２２の切り欠き（第二の切り欠き）２２３に緩嵌しており、遊動可能な状態になっている。この状態から、ＬＥＤ基板２２をその長手方向に沿って移動させることにより、図１３の（ｂ）に示すように、リブ２４００が、ＬＥＤ基板２２の切り欠き（第一の切り欠き）２２２に嵌合し、リブ２４００に対しては、ＬＥＤ基板２２の外側に向かう方向（図中点線矢印で示す方向）の力が掛り、その応力（図中実線矢印で示す方向）がＬＥＤ基板２２に掛る。これにより、ＬＥＤ基板２２がより強固に固定される。
【００５０】
このように、本実施形態では、ＬＥＤ基板２２を固定用リブ２４０に緩嵌し、ＬＥＤ基板２２をその長手方向に沿って固定位置まで移動させたときにＬＥＤ基板２２を固定するように固定用リブ２４０が構成されており、ＬＥＤ基板２２の短手方向の端部に向かって突出しているリブ２４００が形成されており、ＬＥＤ基板２２の短手方向の端部に、固定位置まで移動したときにリブ２４００に嵌合する切り欠き２２２が設けられている。これにより、ＬＥＤ基板２２を固定用リブ２４０に緩嵌した後にＬＥＤ基板２２をその長手方向に沿って固定位置まで移動させるという、基板を撓ませることがない簡易な工程で、ＬＥＤ基板２２をバックキャビネットに固定することができる。特に、本実施形態では、ＬＥＤ基板２２に短手断面がコの字状のヒートスプレッダ２３が結合されているため、ＬＥＤ基板２２を撓ませることが困難であるが、上記の方法によれば、首尾よく、ＬＥＤ基板２２をバックキャビネットに固定することができる。
【００５１】
なお、ＬＥＤ基板２２には、切り欠き２２２に隣接して、切り欠き２２２も大きい、リブ２４００に緩嵌する切り欠き２２３が設けられていることが好ましい。これにより、リブ２４００がＬＥＤ基板２２と干渉することなく、ＬＥＤ基板２２を固定用リブ２４０に容易に緩嵌することができる。
【００５２】
リブ２４０１は、図９に示すように、ＬＥＤ基板２２を支持する支持部２４０１ｂと、ＬＥＤ基板２２の開口２２４に挿入される突起部（第二の突起部）２４０１ａと、を備えている。開口２２４は、ＬＥＤ基板２２の長手方向に細長い形状を有しており、好ましくは楕円形である。突起部２４０１ａは、ＬＥＤ基板２２の長手方向に遊動可能になっており、短手方向へのずれが抑制される。そのため、ＬＥＤ基板２２がその長手方向に移動することを妨げず、他の方向に移動することを防ぐことができる。これにより、容易に、ＬＥＤ基板２２をその長手方向へ移動させることができるとともに、ＬＥＤ基板２２を正確な位置で固定することができる。
【００５３】
リブ２４０２は、切り欠きを有する円筒形の形状を有しており、ＬＥＤ基板２２を支持するようになっている。なお、リブ２４０２の切り欠きは、リブ２４０２における、ＬＥＤ基板２２に結合されたヒートスプレッダ２３の側面部２３ａに対向する部位に設けられている。これにより、リブ２４０２と、ヒートスプレッダ２３との間の干渉を回避することができる。
【００５４】
図１４は、リブ２４０３の詳細な構成を示す側方断面図である。リブ２４０３は、ＬＥＤ基板２２を支持する支持部（挟持部）２４０３ｃと、ＬＥＤ基板２２を、支持部２４０３ｃと対になって挟む覆い部（挟持部）２４０３ｂと、を備えている。すなわち、支持部２４０３ｃと覆い部２４０３ｂとによって、ＬＥＤ基板２２を挟んでいる。図１４に示すように、覆い部２４０３ｂには傾斜が設けられており、ＬＥＤ基板２２が固定位置に近づくにつれ覆い部２４０３ｂとＬＥＤ基板２２との間隔が狭くなるようになっている。これにより、固定位置において、支持部２４０３ｃと覆い部２４０３ｂとは、ＬＥＤ基板２２を強固に締め付けて挟持し、ＬＥＤ基板２２を好適に固定することができる。
【００５５】
また、リブ２４０３には、ＬＥＤ基板２２に結合されたヒートスプレッダ２３の側面部２３ａが通過するための溝２４０３ａが設けられている。そのため、リブ２４０３と、ヒートスプレッダ２３との間の干渉を回避するとともに、ＬＥＤ基板２２がその長手方向に移動することを妨げず、他の方向に移動することを防ぐことができる。これにより、ＬＥＤ基板２２を正確な位置で固定することができる。
【００５６】
なお、図１２の（ｂ）に示すように、ＬＥＤ基板２２を固定用リブ２４０に緩嵌させるために、ＬＥＤ基板２２には、覆い部２４０３ｂを通過させるための切り欠き２２６が設けられている。
【００５７】
図１５は、リブ２４０４の詳細な構成を示す図である。図１５の（ａ）は、ＬＥＤ基板２２に対向する側とは反対側からリブ２４０４を観察した平面図であり、図１５の（ｂ）は、リブ２４０４にＬＥＤ基板２２が挿入される様子を示す側面図である。
【００５８】
図１５の（ｂ）に示すように、リブ２４０４には、ＬＥＤ基板２２に結合されたヒートスプレッダ２３の露出部分２３０が挿入される。リブ２４０４には、露出部分２３０をバックキャビネット２４側から圧迫する圧迫部２４０４ａと、圧迫部２４０４ａの中央からＬＥＤ基板２２側に延出した板状の部材であって、露出部分２３０の中央の溝に嵌挿される嵌挿部２４０４ｂと、を備えている。これにより、ＬＥＤ基板２２の中央位置を正しく誘導することができる。これにより、ＬＥＤ基板２２を正確な位置で固定することができる。
【００５９】
そして、ＬＥＤ基板２２が固定位置まで移動すると、図１２の（ｃ）に示すように、圧迫部２４０４ａが、露出部分２３０およびＬＥＤ基板２２の端部を圧迫して押し上げ、露出部分２３０およびＬＥＤ基板２２の端部が表裏からリブ２４０４によって圧迫されるようになる。これにより、ＬＥＤ基板２２がより強固に固定される。
【００６０】
また、リブ２４０４にも、リブ２４０３と同様に、ＬＥＤ基板２２に結合されたヒートスプレッダ２３の側面部２３ａが通過するための溝が設けられている。
【００６１】
なお、図６に示すように、バックキャビネット２４の表示装置底部側（図６における紙面下側）には、後述するように、バックキャビネット２４の外部側にメイン回路２８等を配設するための構造物２４１０が設けられている。そのため、バックキャビネット２４の内部側では、位置によって深浅が異なっている。
【００６２】
例えば、図６に示す部位２４２０では、バックキャビネット２４は深くなっている。また、部位２４２１では、バックキャビネット２４は浅くなっている。また、部位２４２２では、バックキャビネット２４は深い部分と浅い部分との境界になっている。また、部位２４２３では、バックキャビネット２４は浅くなっている。
【００６３】
しかし、輝度ムラのない光を液晶パネル１５に対して出射するためには、各ＬＥＤ基板２２の高さは同一であることが好ましい（なお、バックキャビネット２４からフロントキャビネット１０に向かう方向を上方とする）。そのため、ＬＥＤ基板２２を支持する基板支持用リブとして機能するリブ２４０１〜２４０３におけるＬＥＤ基板２２を支持する部位（支持部２４０１ｂ、リブ２４０２の天面、支持部２４０３ｃ）が、面一になっている。
【００６４】
そのため、図８に示すように、バックキャビネット２４が深くなっている部位２４２０では、各リブは背が高くなっている。また、図９に示すように、バックキャビネット２４が浅くなっている部位２４２１では、各リブは背が低くなっている。また、図１０に示すように、部位２４２２のうちバックキャビネット２４が深くなっている部位では、各リブは背が高くなっている。また、図１１に示すように、バックキャビネット２４が浅くなっている部位２４２３では、各リブは背が低くなっている。
【００６５】
このように基板支持用リブのＬＥＤ基板２２を支持する部位が、面一になっていることにより、各ＬＥＤ基板２２の高さを同一にすることができるため、輝度ムラのない光を液晶パネル１５に対して出射することができる。
【００６６】
なお、バックキャビネット２４の表示装置底部側（図６における紙面下側）では、構造物２４１０が設けられているため、十分な剛性を有している。一方、バックキャビネット２４の表示装置上部側（図６における紙面上側）には、構造物２４１０が存在しない代わりに、ハニカム状のリブ２４１１が形成されている。このようにハニカム状のリブ２４１１を形成することにより、バックキャビネット２４の上部側においても、剛性を補うことができる。
【００６７】
なお、上述した各リブの構成および配置は一例であり、ＬＥＤ基板２２をバックキャビネット２４に固定することができる態様である限り、適宜変更することができる。
【００６８】
（反射シート）
反射シート１９は、ＬＥＤ素子２２０とＬＥＤ基板２２との間に設けられ、ＬＥＤ素子２２０から出射される光を反射する。反射シート１９は必ずしも必要となるわけではないが、反射シート１９を用いることによってＬＥＤ基板２２またはバックキャビネット２４側に吸収されていた光を有効に利用できるため、拡散板１８に向けて出射される光量を増やすことができる。これによって、反射シート１９は、液晶パネル１５の輝度を向上させる事が出来る。
【００６９】
反射シート１９は、例えば、発泡ＰＥＴ（Polyethylene Terephthalate）などに代表されるポリエステルから形成されており、光の反射特性を有している。
【００７０】
なお、反射シート１９は、入射した光が正反射するシートであってもよいが、乱反射するシートを用いることがより好ましい。反射シート１９は、入射した光が乱反射するシートを用いることによって、入射角と異なる角度の反射成分を含んで光を反射させることができる。
【００７１】
（クリップ）
図１６〜図２２を参照して、クリップ（支持柱）２０について詳細に説明する。クリップ２０は、ＬＥＤ素子２２０と対向する位置に配置されている拡散板（光学部材）１８を支持する支持柱である。なお、クリップ２０は、先細のピン形状であってもよい。また、クリップ２０は、拡散板１８に対してＬＥＤ素子２２０側から当接することによって、拡散板１８を支持するようになっている。
【００７２】
図１６は、クリップ２０の概略構造を示す図である。図１６の（ａ）は、クリップ２０単体を示す側面図であり、図１６の（ｂ）は、クリップ２０がＬＥＤ基板２２に固定された状態を示す斜視図である。
【００７３】
図１６の（ａ）に示すように、クリップ２０は、平板状の平板部２００、平板部２００の土台となる円柱部２０１、円柱部２０１の根元に接続された鍔部２０２、および、鍔部２０２に対して距離を置いて接続された貫通部２０３を備えている。
【００７４】
図１６の（ｂ）に示すように、クリップ２０は、反射シート１９を挟んで、ＬＥＤ基板２２に固定される。また、クリップ２０は、ＬＥＤ基板２２に固定されたとき、貫通部２０３は、開口２２５を通ってＬＥＤ基板２２の反対側まで貫通し、鍔部２０２と対になってＬＥＤ基板２２および反射シート１９を挟持する。
【００７５】
クリップ２０は、透光性を有する材料によって形成されている。例えば、これに限定されないが、透明樹脂によってクリップ２０を形成することができる。また、平板部２００は、鏡面仕上げされている。
【００７６】
図１７は、クリップ２０の概略配置を示す斜視図である。図１７に示すように、バックキャビネット２４上に、ＬＥＤ基板２２を覆うように反射シート１９が配置されている。また、反射シート１９上にＬＥＤ素子２２０が露出している。すなわち、ＬＥＤ基板２２と、ＬＥＤ素子２２０との間に、反射シート１９が設けられている。クリップ２０は、隣接する二つのＬＥＤ素子２２０間に固定されている（例えば、クリップ２０ａは、隣接するＬＥＤ素子２２０ａおよびＬＥＤ素子２２０ｎの間に固定されている。）。そして、平板部２００の板面（鏡面仕上げされた面）の一方が、上記二つのＬＥＤ素子２２０の一方に対向し、平板部２００の板面の他方が、上記二つのＬＥＤ素子２２０の他方に対向している。
【００７７】
図１８は、従来技術に係るクリップ２０’と本実施形態に係るクリップ２０とが拡散板（光学部材）１８にそれぞれ形成する影を対比する図である。図１８の（ａ）は、従来技術に係るクリップ２０’が拡散板１８に形成する影を示す図であり、図１８の（ｂ）は、本実施形態に係るクリップ２０が拡散板１８に形成する影を示す図である。
【００７８】
従来技術に係るクリップ２０’は、平板部２００’、円柱部２０１’および鍔部２０２’を備えている。平板部２００’は、光反射率を向上させるため、高光沢の白色であり、光を拡散させるために表面が粗くなっている。
【００７９】
図１８の（ａ）に示すように、従来技術に係るクリップ２０’を用いた場合、拡散板１８の部位２０５には、（ｉ）紙面左側のＬＥＤ素子２２０からの光がクリップ２０’によって遮られることによって生じる影と、（ｉｉ）紙面右側のＬＥＤ素子２２０からの光がクリップ２０’によって反射された反射光とが重なる。このとき、影の方が反射光よりも強いため、部位２０５には影が残る。
【００８０】
一方、図１８の（ｂ）に示すように、本実施形態に係るクリップ２０を用いた場合、拡散板１８の部位２０５には、（ｉ）紙面左側のＬＥＤ素子２２０からの光がクリップ２０’によって遮られることによって生じる影と、（ｉｉ）紙面右側のＬＥＤ素子２２０からの光がクリップ２０によって反射された反射光とが重なる。このとき、クリップ２０が透光性を有しているため、影は弱くなり、平板部２００が鏡面仕上げされているため、反射光が強くなる。そのため、影と反射光とが相殺され、部位２０５には影が残らない。
【００８１】
このように、透光性を有し、両脇のＬＥＤ素子２２０に夫々対向する二つの面の少なくとも一部が鏡面仕上げされているクリップ２０を用いることにより、クリップ２０によって光学部材に形成される影を軽減することができる。
【００８２】
なお、必ずしもクリップ２０の全面が平板状に鏡面仕上げされている必要は無い。図１８の（ｂ）において点線で示す光が到達しない部分については、平板状でなくともよく、鏡面仕上げされていなくともよい。そのため、図１８の（ｂ）に示すように、クリップ２０は、鏡面仕上げされている平板部２００の下部には、平板部２００の土台になる円柱部２０１を備えていることが好ましい。これにより、強度が弱い平板部２００を支持し、クリップ２０全体の強度を向上させることができる。但し、円柱部２０１は省略することもできる。
【００８３】
続いて、図１９〜図２２を参照して、クリップ２０のＬＥＤ基板２２への固定について詳細に説明する。
【００８４】
図１９は、クリップ２０がＬＥＤ基板２２に固定された状態を示す斜視図である。なお、ＬＥＤ基板２２は、反射シート１９に覆われているため、開口２２５が見えるのみである。また、ＬＥＤ基板２２に結合されているヒートスプレッダ２３は省略して示している。
【００８５】
図２０は、クリップ２０がＬＥＤ基板２２に固定された状態を示す斜視図である。なお、図２０では、反射シート１９およびヒートスプレッダ２３は省略して示している。
【００８６】
図２１は、クリップ２０がＬＥＤ基板２２に固定された状態を、バックキャビネット２４側から観察した平面図である。ＬＥＤ基板２２に結合されているヒートスプレッダ２３は省略して示している。
【００８７】
図２２は、クリップ２０がＬＥＤ基板２２に固定された状態を示す側面図である。なお、図２２では、反射シート１９およびヒートスプレッダ２３は省略して示している。
【００８８】
図１９〜図２２に示すように、クリップ２０は、ＬＥＤ基板２２に固定されることにより、ＬＥＤ基板２２と対になって反射シート１９を挟持している。クリップ２０が反射シート１９についても固定することにより、組み立て作業を簡略化することができる。
【００８９】
また、クリップ２０は、ＬＥＤ基板２２に固定されていればよいが、着脱可能に取り付けられていることが好ましく、図１９〜図２２に示すように、ＬＥＤ基板２２に挿通して捻ることによってＬＥＤ基板２２に固定されるようになっていることが好ましい。
【００９０】
すなわち、貫通部２０３は、平板部２００および円柱部２０１に対して直交するように伸びる棒状の部材である。ＬＥＤ基板２２には、貫通部２０３に対応する開口２２５が設けられている（なお、ヒートスプレッダ２３にも、ＬＥＤ基板２２の開口２２５に対応する開口２３２が設けられている。）。そのため、貫通部２０３の方向と開口２３２の方向とを合致させた状態で、クリップ２０をＬＥＤ基板２２に挿通させることにより、貫通部２０３をＬＥＤ基板２２の反対側まで貫通させることができる。その後、クリップ２０を例えば９０度捻ることにより、図２１に示すように、貫通部２０３があたかも錨のように機能し、貫通部２０３と鍔部２０２とでＬＥＤ基板２２を挟持することによって、クリップ２０がＬＥＤ基板２２に固定される。
【００９１】
このようにクリップ２０が簡易にＬＥＤ基板２２に取り付けられていることによって、クリップ２０のリユースならびに表示装置１（または直下型バックライト）の解体および分解が容易になる。
【００９２】
図２３は、バックキャビネット２４にＬＥＤ基板２２が固定され、クリップ２０がＬＥＤ基板２２に固定された状態を示す斜視図である。
【００９３】
図２３に示すように、ＬＥＤ基板２２におけるクリップ２０が取り付けられる部位は、切り欠きを有する円筒形のリブであるリブ２４０２によって支持されている。当該部位は、クリップ２０を取り付ける際に負荷が掛る部位である。当該部位をリブ２４０２によって支持することにより、クリップ２０を取り付ける際にＬＥＤ基板２２が撓むことを防止することができる。特に、リブ２４０２を円筒形にすることにより、強度を確保することができる。また、リブ２４０２に切り欠きを設けることにより、空気の流れを確保して、放熱効果を高めることができる。
【００９４】
このように、ＬＥＤ基板２２におけるクリップ２０が取り付けられる部位を支持する、切り欠きを有する円筒形のリブ２４０２を用いることによって、ＬＥＤ基板２２へのクリップ２０の取り付けの際に、ＬＥＤ基板２２が撓むことを抑制するとともに、放熱効果を向上させることができる。
【００９５】
また、リブ２４０２に切り欠きを設けることにより、軽量化も達成することができる。
【００９６】
また、ヒートスプレッダ２３において、クリップ２０の貫通部２０３との干渉を避けるために、図５の（ｂ）に示すように、側面部２３ａにおける開口２３２と対応する位置に開口２３３を設けることが好ましい。
【００９７】
なお、本実施形態では、図１７に示すように、クリップ２０は、反射シート１９における４隅および中央部に配置されている。このうち、前記中央部に配置されるクリップ２０に関しては、当該クリップ２０が取り付けられる部位を支持するリブ２４０２を省略することができる。なぜなら、前記中央部では、クリップ２０が取り付けられる部位に隣接してリブ２４０３が設けられているため、ＬＥＤ基板２２を十分に支持することができるからである。一方、前記４隅には、リブ２４０３等が設けられていないため、リブ２４０２を設けることが好ましい。但し、このクリップ２０の配置は、一例であり、拡散板１８を首尾よく支持することができれば、適宜変更することができる。
【００９８】
（拡散板および光学シート群）
拡散板（光学部材）１８および光学シート群１７は、ＬＥＤ素子２２０から出射する光量のムラ（すなわち輝度ムラ）を抑制するとともに、ＬＥＤ素子２２０から出射される光を集光して液晶パネル１５に向けて出射する機能を有している。
【００９９】
なお、拡散板１８および光学シート群１７は必ずしも必要となるわけではないが、拡散板１８および光学シート群１７を用いることによって、ＬＥＤ素子２２０から出射される光をそのまま液晶パネル１５に入射する場合よりも、液晶パネル１５における輝度ムラを抑制することができる。
【０１００】
光学シート群１７は、例えば、拡散シート、プリズムシート、及び、マイクロレンズシートなどを含んで構成されている。なお、光学シート群１７を構成する各シートの枚数及び組み合わせは、所望の光学性能が得られるような枚数及び組み合わせであれば、特に限定されるものではない。また、拡散板１８を設けなくともよく、その場合、クリップ２０が支持する光学部材は、光学シート群１７の何れかとなる。
【０１０１】
なお、本実施形態では、ＬＥＤ基板２２、ＬＥＤ素子２２０、反射シート１９、クリップ２０、拡散板（光学部材）１８および光学シート群１７によって、直下型バックライトが構成される。
【０１０２】
（ベゼル、液晶パネル、Ｐシャーシ）
ベゼル１４は、液晶パネル１５の映像表示面側から液晶パネル１５の周囲を覆うように配置され、Ｐシャーシ１６（シャーシ）と共に液晶パネル１５を把持することにより、バックキャビネット２４に対する液晶パネル１５の法線方向の位置を規定する。
【０１０３】
Ｐシャーシ１６は、光学シート群１７の周囲から光が漏れることを防ぐ遮光部材である。Ｐシャーシ１６は、液晶パネル１５を支持する部材であって、上述のようにベゼル１４と共に液晶パネル１５を把持する。
【０１０４】
また、Ｐシャーシ１６は、バックキャビネット２４と共に光学シート群１７を把持することにより、バックキャビネット２４に対する光学シート群１７の法線方向の位置を規定する。
【０１０５】
ベゼル１４及びＰシャーシ１６は、液晶パネル１５及び光学シート群１７を把持する部分に、ポロン（緩衝材）を備えている。これにより、ベゼル１４及びＰシャーシ１６は、液晶パネル１５及び光学シート群１７を傷つけることなく把持することができる。
【０１０６】
なお、ベゼル１４及びＰシャーシ１６による液晶パネル１５の位置の規定、並びに、Ｐシャーシ１６及びバックキャビネット２４による光学シート群１７の位置の規定の詳細については、図面を変えて後述する。
【０１０７】
（メイン回路、電源回路）
メイン回路２８は、表示装置１の備える各部における動作を、統括的に制御する回路であり、例えばＣＰＵ（Central Processing Unit）などを含んで構成される。電源回路２９は、外部電源から電力の供給を受け付けると共に、表示装置１の各部に対する電力の供給を制御する。
【０１０８】
メイン回路２８および電源回路２９は、スタンド３０、補助回路３６、ボタン３７およびスピーカ３８と共に、バックキャビネット２４の背面（液晶パネル１５が配置される面と反対側の面）に配置される。また、バックキャビネット２４の背面に配置されたメイン回路２８および電源回路２９などは、トップカバー３９およびボトムカバー４０によって保護されている。
【０１０９】
〔二重リブ構造〕
次に、バックキャビネット２４の備える、光学シート群１７（光学シート）の位置を規制するための構成について、図２４から図２６を参照して説明する。図２４は、本実施形態に係るバックキャビネット２４の一部分を示す拡大斜視図である。
【０１１０】
図２４に示すように、バックキャビネット２４には、光学シート群１７の位置を規制するリブが、当該バックキャビネット２４の外縁に沿って二重に設けられている（単に二重リブ構造とも記載する）。
【０１１１】
具体的には、光学シート群１７の、バックキャビネット２４の法線方向に対する位置を規制する内側リブ２４５１と、バックキャビネット２４の法線方向に垂直な方向に対する位置を規制する外側リブ２４５２とが設けられている。
【０１１２】
（二重リブ構造の詳細）
二重リブ構造の詳細について、図２５及び図２６を参照して説明する。図２５は、本実施形態に係るバックキャビネット２４の外縁の一部分を示す拡大斜視図である。また、図２６は、図２５に示すバックキャビネット２４のＡ−Ａ断面図である。なお、図２５では、説明の簡略化のため、バックキャビネット２４をフロントキャビネット１０側から見た外観を示している。
【０１１３】
（内側リブ）
図２６に示すように、内側リブ２４５１は、エッジが光学シート群１７の表面に、反射シート１９および拡散板１８を介して当接するよう設けられており、内側リブ２４５１上には、光学シート群１７が反射シート１９および拡散板１８に重なるように配置される。これにより、内側リブ２４５１は、光学シート群１７の、バックキャビネット２４の法線方向に対する位置を規制する。
【０１１４】
また、内側リブ２４５１は、Ｐシャーシ１６（より具体的には、Ｐシャーシ１６の備えるポロン１６１）と共に、光学シート群１７を、反射シート１９および拡散板１８を介して把持する。なお、ポロン１６１は、Ｐシャーシ１６の内側リブ２４５１と対向する位置に設けられていることが好ましい。これによって、ポロン１６１は、内側リブ２４５１と共に光学シート群１７を効率よく把持することができる。なお、Ｐシャーシの詳細については、後述する。
【０１１５】
（外側リブ）
図２６に示すように、外側リブ２４５２は、内側リブ２４５１よりも高く形成されている。具体的には、外側リブ２４５２の側面が、光学シート群１７のエッジに当接するよう設けられている。これにより、内側リブ２４５１上に配置された光学シート群１７がバックキャビネット２４の法線方向に垂直な方向に対してスライドした場合にも、外側リブ２４５２の側面で光学シート群１７のスライドを規制することができる。
【０１１６】
このように、バックキャビネット２４に二重リブ構造を採用することにより、光学シート群１７のバックキャビネット２４に対する位置を効率よく規定することができる。さらに、二重リブ構造により、バックキャビネット２４自体の強度を確保することができるため、表示装置１がバックライトシャーシを備えていなくても、当該表示装置１の強度を確保することができる。
【０１１７】
また、外側リブ２４５２には、図２４に示すように、切欠２４５４が設けられている。なお、外側リブ２４５２に形成された切欠２４５４は、１つであってもよいし、複数であってもよい。
【０１１８】
外側リブ２４５２に切欠２４５４が形成されていることにより、バックキャビネット２４に配置した光学シート群１７を取り外す際に当該切欠２４５４に指を入れることができる。これによって、内側リブ２４５１上に配置された光学シート群１７よりも高い外側リブ２４５２が形成されていても、バックキャビネット２４から光学シート群１７を容易に取り外すことができる。
【０１１９】
〔光学シート群の固定〕
次に、光学シート群１７の、バックキャビネット２４に対する固定の詳細について、図２７から図３０を参照して説明する。図２７は、本実施形態に係るバックキャビネット２４及び光学シート群１７の一部分を示す拡大斜視図である。
【０１２０】
（光学シート群、バックキャビネット）
図２７に示すように、光学シート群１７には、外縁に沿って開口１７１が形成されている。また、光学シート群１７には、外縁に沿って、切欠１７２が形成されている。なお、図２７には、バックキャビネット２４及び光学シート群１７の一部分（右上部分）のみを示しているが、本実施形態では、開口１７１及び切欠１７２の各々は、光学シート群１７の外縁に沿って複数設けられている。
【０１２１】
バックキャビネット２４には、光学シート群１７の各開口１７１に貫入する突出リブ２４７１が、光学シート群１７の各開口１７１に対応する位置にそれぞれ設けられている。また、バックキャビネット２４には、光学シート群１７の各切欠１７２に嵌合する突出リブ２４７２が、光学シート群１７の各切欠１７２に対応する位置にそれぞれ設けられている。
【０１２２】
バックキャビネット２４の突出リブ２４７１が開口１７１に貫入されるように光学シート群１７を配置することにより、光学シート群１７の、バックキャビネット２４の法線方向に垂直な方向に対する位置を容易に固定することができる。また、バックキャビネット２４の突出リブ２４７２と切欠１７２とが嵌合するように光学シート群１７を配置することにより、光学シート群１７の、バックキャビネット２４の法線方向に垂直な方向に対する位置をさらに容易に固定することができる。
【０１２３】
なお、本実施形態では、光学シート群１７の各開口１７１は、当該光学シート群１７において、左右非対称、上下非対称、かつ、光学シート群１７の法線方向を回転軸とする１８０度回転対称性を有しない位置に設けられている。これにより、光学シート群１７を誤って左右逆さま、上下逆さまに設置してしまうことを防ぐことができ、また、誤って１８０度回転した状態で設置してしまうことを防ぐことができる。
【０１２４】
（Ｐシャーシ）
上述したように、光学シート群１７は、バックキャビネット２４とＰシャーシ１６とによって把持される。ここで、Ｐシャーシ１６の詳細について、図２８から図３０を参照して説明する。
【０１２５】
図２８は、本実施形態に係るＰシャーシ１６のうち、フロントキャビネット１０側から見てバックキャビネット２４の上部に配置される上側Ｐシャーシ１６ａの外観の一部分を示す拡大図である。図２８（ａ）は、上側Ｐシャーシ１６ａの正面図であり、（ｂ）は上側Ｐシャーシ１６ａの斜視図である。
【０１２６】
図２９は、本実施形態に係るＰシャーシ１６のうち、フロントキャビネット１０側から見てバックキャビネット２４の右部に配置される右側Ｐシャーシ１６ｂの外観の一部分を示す拡大図である。図２９（ａ）は、右側Ｐシャーシ１６ｂの正面図であり、（ｂ）は、右側Ｐシャーシ１６ｂの斜視図である。
【０１２７】
また、図３０は、本実施形態に係るバックキャビネット２４、光学シート群１７及びＰシャーシ１６の一部分を示す拡大斜視図である。
【０１２８】
上側Ｐシャーシ１６ａには、図２８に示すように、バックキャビネット２４の突出リブ２４７１が貫入する開口１６２が、突出リブ２４７１に対応する位置に形成されている。また、図２９に示すように、右側Ｐシャーシ１６ｂには、バックキャビネット２４の突出リブ２４７２が貫入する開口１６３が、突出リブ２４７２に対応する位置に形成されている。
【０１２９】
図３０に示すように、上側Ｐシャーシ１６ａは突出リブ２４７１が開口１６２に貫入するように配置され、右側Ｐシャーシ１６ｂは突出リブ２４７２が開口１６３に貫入するように配置される。このようにして、Ｐシャーシ１６は、バックキャビネット２４の法線方向に垂直な方向に対して位置が固定される。また、Ｐシャーシ１６は、バックキャビネット２４と共に、光学シート群１７を把持することにより、バックキャビネット２４の法線方向に対する光学シート群１７の位置を固定する。
【０１３０】
上記の構成によれば、本実施形態に係る表示装置１は、突出リブ２４７１を光学シート群１７及び上記Ｐシャーシ１６に形成されている開口１７１、１６２に貫入することにより、光学シート群１７及びＰシャーシ１６をバックキャビネット２４に対して精度よく固定することができる。
【０１３１】
なお、本実施形態では、バックキャビネット２４の各突出リブ２４７１、２４７２は、当該バックキャビネット２４に設けられた内側リブ２４５１よりも外側に設けられており、かつ、外側リブ２４５２よりも内側に設けられている。つまり、各突出リブ２４７１、２４７２に対応する開口１６２、１６３は、Ｐシャーシ１６に設けられているポロン１６１よりも表示装置１の中心から見て外側に設けられることになる。したがって、この構成により、バックキャビネット２４の突出リブ２４７１、２４７２と、Ｐシャーシ１６のポロン１６１との干渉を防止することができる。
【０１３２】
実施形態では、図２７及び図３０に示すように、光学シート群１７の開口１７１は、光学シート群１７の各辺のうち該開口に最も近い辺に沿った方向に延伸する細長形である。また、突出リブ２４７１の開口１７１に貫入する部分の断面、及び、Ｐシャーシ１６の開口１６２は、光学シート群１７の開口１７１と同様の形状を有している。
【０１３３】
これによって、光学シート群１７の開口１７１、Ｐシャーシ１６の開口１６２及び突出リブ２４７１が、ＬＥＤ素子２２０から出射された光（つまり、当該表示装置１における映像の表示に用いられる光）に対して及ぼす影響を、最小限に抑えることができる。
【０１３４】
また、開口１７１が光学シート群１７の上側の外縁に沿ってのみ形成され、切欠１７２が光学シート群１７の右側、左側および下側の外縁に沿って形成されていてもよい。これによれば、光学シート群１７のバックキャビネット２４への取り付けの作業性を向上させることができる。
【０１３５】
〔バックキャビネットとＰシャーシとの結合〕
次に、バックキャビネット２４とＰシャーシ１６とを結合させるための構造について、図３１から図３４を参照して説明する。
【０１３６】
図３１は、本実施形態に係る表示装置１を下側から見た斜視図である。図３２は図３１に示す表示装置１のＢ−Ｂ断面図であり、図３３は図３１に示す表示装置１のＣ−Ｃ断面図であり、図３４は図３１に示す表示装置１のＤ−Ｄ断面図である。
【０１３７】
（バックキャビネットとＰシャーシとの結合構造）
図３２に示すように、外側リブ２４５２には、表示装置１の中心から見て外側に、爪部２４５７が形成されている。また、Ｐシャーシ１６には、爪部２４５７と嵌合するための嵌合部１６５が形成されている。これにより、バックキャビネット２４とＰシャーシ１６とを容易に結合することができるため、バックキャビネット２４とＰシャーシ１６とを結合するために従来用いられていた、例えばネジ及びビスなどの部品を削減することができる。したがって、バックキャビネット２４及びＰシャーシ１６の取り付け（組み立て）及び取り外しの作業性を向上（つまり、組み立て及び取り外し工程を簡略化）させると共に、ネジ及びビスなどにかかるコストを低減することができる。
【０１３８】
また、図３３に示すように、バックキャビネット２４の一部には、外側リブ２４５２の外側に、Ｐシャーシ１６を固定するための固定用ボス２４５３が形成されている。また、図３４に示すように、固定用ボス２４５３の一部にはＰシャーシ１６を固定するための固定用爪部２４５６が形成されている。この構成により、Ｐシャーシ１６を、バックキャビネット２４に対してより強固に固定することができる。これによって、バックキャビネット２４及びＰシャーシ１６の結合に必要な部品をさらに削減することができる。
【０１３９】
〔フロントキャビネットとバックキャビネットとの嵌合構造〕
次に、フロントキャビネット１０とバックキャビネット２４とを結合させるための、フロントキャビネット１０、バックキャビネット２４、Ｐシャーシ１６およびベゼル１４の構造の詳細について、図３５から図３９を参照して説明する。
【０１４０】
（フロントキャビネット）
まず、フロントキャビネット１０の構造について、図３５を参照して説明する。図３５は、本実施形態に係るフロントキャビネット１０の背面斜視図である。
【０１４１】
図３５に示すように、フロントキャビネット１０には、その背面（液晶パネル１５などが配置される側の面）に、バックキャビネット２４と結合するための複数のボス１０２〜１０４が形成されている。ボス１０２（固定用ボス）及びボス１０３はフロントキャビネット１０の背面下側に設けられており、ボス１０４はフロントキャビネット１０の背面右側に設けられている。なお、フロントキャビネット１０の背面上側および左側にもボスが設けられているが、ここでは説明を省略する。
【０１４２】
また、ボス１０２は、ボス１０３に比べて、表示装置１の中央寄りに設けられている。これにより、フロントキャビネット１０の下部が自重によって表示装置１の前方に撓み、フロントキャビネット１０と液晶パネル１５とが離間してしまうことを防ぐごとができる。
【０１４３】
（バックキャビネット）
次に、バックキャビネット２４の構成について、図３６を参照して説明する。図３６は、本実施形態に係るバックキャビネット２４に光学シート群１７を配置した状態を示す正面図である。
【０１４４】
図３６に示すように、バックキャビネット２４には、フロントキャビネット１０のボス１０２〜１０４と嵌合するための、嵌合部２４６２〜２４６４が形成されている。また、嵌合部２４６２は、ボス１０２と嵌合するため、嵌合部２４６３３に比べて、表示装置１の中央寄りに設けられている。なお、バックキャビネット２４の上側および左側にも嵌合部が設けられているが、フロントキャビネット１０と同様ここでは説明を省略する。
【０１４５】
（Ｐシャーシ、ベゼル）
次に、Ｐシャーシ１６およびベゼル１４の構成について、図３７及び図３８を参照して説明する。図３７は、本実施形態に係るバックキャビネット２４に、光学シート群１７及びＰシャーシ１６を配置した状態を示す正面図である。図３８は、本実施形態に係るバックキャビネット２４に、光学シート群１７、Ｐシャーシ１６、液晶パネル１５及びベゼル１４を配置した状態を示す正面図である。
【０１４６】
図３７に示すように、本実施形態に係る表示装置１は、Ｐシャーシ１６の配置されたバックキャビネット２４上に、Ｐシャーシ１６が配置されている。より詳細には、バックキャビネット２４の上側には上側Ｐシャーシ１６ａが、右側には右側Ｐシャーシ１６ｂが。左側には左側Ｐシャーシ１６ｃが、下側には下側Ｐシャーシ１６ｄがそれぞれ配置される。
【０１４７】
Ｐシャーシ１６は、図３７に示すように、バックキャビネット２４上に配置した場合に、嵌合部２４６２〜２４６４がバックキャビネット２４をフロントキャビネット１０側から見て露出するように形成されている。
【０１４８】
例えば、下側Ｐシャーシ１６ｄの中央付近には、図３７に示すように、バックキャビネット２４の嵌合部２４６２が露出する貫通孔１６４が形成されている。換言すれば、下側Ｐシャーシ１６ｄの中央付近に、フロントキャビネット１０のボス１０２が貫通する貫通孔１６４が形成されている。
【０１４９】
また、図３８に示すように、本実施形態に係る表示装置１は、Ｐシャーシ１６上に液晶パネル１５の配置されたバックキャビネット２４上に、ベゼル１４が配置されている。より詳細には、バックキャビネット２４の上側には上側ベゼル１４ａが、右側には右側ベゼル１４ｂが。左側には左側ベゼル１４ｃが、下側には下側ベゼル１４ｄがそれぞれ配置される。
【０１５０】
ベゼル１４は、図３８に示すように、バックキャビネット２４上に配置した場合に、嵌合部２４６２〜２４６４がバックキャビネット２４をフロントキャビネット１０側から見て露出するように形成されている。
【０１５１】
ここで、下側ベゼル１４ｄの詳細について、図３９を参照して説明する。図３９は、本実施形態に係る下側ベゼル１４ｄの外観を示す正面図である。
【０１５２】
図３９に示すように、下側ベゼル１４ｄの中央付近には、バックキャビネット２４の嵌合部２４６２が露出する貫通孔１４１が形成されている。換言すれば、下側ベゼル１４ｄの中央付近には、フロントキャビネット１０のボス１０２が貫通する貫通孔１４１が形成されている。
【０１５３】
このように、下側Ｐシャーシ１６ｄおよび下側ベゼル１４ｄの各々に貫通孔１６４、１４１が形成されていることにより、フロントキャビネット１０のボス１０２とバックキャビネット２４の嵌合部２４６２とを、下側Ｐシャーシ１６ｄおよび下側ベゼル１４ｄを介することなく、直接嵌合させることができる。
【０１５４】
これによって、フロントキャビネット１０とバックキャビネット２４とを結合する際の応力が、下側Ｐシャーシ１６ｄ及び下側ベゼル１４ｄを介して液晶パネル１５に伝搬することを防ぐことができる。したがって、フロントキャビネット１０とバックキャビネット２４とを結合する際の応力が液晶パネル１５に局所的に応力が加わることがないため、液晶パネル１５の表示性能の局所的な変化（例えば、輝度ムラなど）を防ぐことができる。
【０１５５】
なお、本実施形態では、フロントキャビネット１０のボス１０２の断面は、図３５に示すように、略円柱である。また、下側Ｐシャーシ１６ｄ及び下側ベゼル１４ｄの貫通孔１６４、１４１は、図３７及び図３８に示すように、短辺の長さがボス１０２の直径よりも大きい略矩形状である。これにより、ボス１０２と貫通孔１６４、１４１とが干渉することによるフロントキャビネット１０、下側Ｐシャーシ１６ｄおよび下側ベゼル１４ｄの劣化を低減することができると共に、組み立て及び取り外しの作業性を向上させることができる。
【０１５６】
（フロントキャビネットとバックキャビネットとの爪による結合）
さらに、本実施形態では、図２６に示すように、バックキャビネット２４の外縁には、フロントキャビネット１０を簡易的に固定するための爪部２４５５が形成されている。また、フロントキャビネット１０には、爪部２４５５と嵌合するための係合部１０１が形成されている。
【０１５７】
これによって、バックキャビネット２４及びフロントキャビネット１０の取り付け及び取り外しの作業性を向上させる。また、バックキャビネット２４及びフロントキャビネット１０の係合に係る部品（例えば、ネジ及びビスなど）の数を削減することができ、これによって係合に係る部品に関するコストを低減することができる。
【０１５８】
〔まとめ〕
本発明の態様１に係るバックキャビネット（２４）は、表示装置（１）の背面を覆うためのバックキャビネットであって、上記表示装置が有する光学シート（光学シート群１７）の位置を規制するリブ（外側リブ２４５２）が、当該バックキャビネットの外縁に沿って設けられており、上記リブには、上記表示装置が有する表示パネル（液晶パネル１５）の裏面を支持するシャーシに係合するための係合部（爪部２４５７）が設けられている、ことを特徴としている。
【０１５９】
上記の構成によれば、上記シャーシを、上記光学シートの位置を規制するリブに設けられた係合部によって上記バックキャビネットに係合させることができる。これによって、上記シャーシを上記バックキャビネットに取り付ける際の作業性を向上させることができる。また、上記シャーシを上記バックキャビネットから取り外す際の作業性を向上させることができる。
【０１６０】
また、上記シャーシを上記バックキャビネットに直接取り付けることができるため、取り付けのために必要な部品を削減することができる。これによって、上記シャーシの上記バックキャビネットに対する取り付けに関する部品にかかるコストを低減することができる。
【０１６１】
本発明の態様２に係るバックキャビネットにおいて、上記態様１における上記係合部は、爪状に形成されており、上記シャーシが上記表示パネルの法線方向に移動することを防ぐように上記シャーシを係合してもよい。
【０１６２】
上記の構成によれば、上記バックキャビネットは、上記爪上に形成された係合部によって、上記シャーシの、上記バックパネルに対する上記表示パネルの法線方向の位置を、より効率的に規定することができる。
【０１６３】
本発明の態様３に係るバックキャビネットにおいて、上記態様１及び２における上記リブよりも外縁に近い位置には、上記シャーシと係合するための固定用ボスがさらに形成されていてもよい。
【０１６４】
上記の構成によれば、上記バックキャビネットは、上記シャーシを、当該バックキャビネットに対してより効率的に固定することができる。
【０１６５】
本発明の態様４に係る表示装置は、上記態様１から３のバックキャビネットを備えていてもよい。
【０１６６】
また、本発明の態様５に係るテレビジョン受像機は、上記態様４の表示装置を備えていてもよい。
【０１６７】
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。また、特許請求の範囲と均等の意味および範囲内でのすべての変更が含まれる。
【産業上の利用可能性】
【０１６８】
本発明は、テレビジョン受像機を含む表示装置一般に好適に利用することができる。
【符号の説明】
【０１６９】
１        表示装置
１０      フロントキャビネット
１０１    係合部
１０２    ボス
１０３、１０４  ボス
１４      ベゼル
１４１    貫通孔
１５      液晶パネル（表示パネル）
１６      Ｐシャーシ（シャーシ）
１６１    ポロン（緩衝材）
１６２    開口
１６３    開口
１６４    貫通孔
１６５    嵌合部
１７      光学シート群（光学シート）
１７１    開口
１７２    切欠
１８      拡散板（光学部材）
１９      反射シート
２０      クリップ（支持柱）
２２      ＬＥＤ基板（基板）
２２０    ＬＥＤ素子
２２１    コネクタ
２２２    切り欠き（第一の切り欠き）
２２３    切り欠き（第二の切り欠き）
２２４    開口
２２５    開口
２２６    切り欠き
２３      ヒートスプレッダ（放熱板）
２３ａ    側面部
２３ｂ    底面部
２３１    開口
２３２    開口
２３３    開口
２４      バックキャビネット
２４０    固定用リブ
２４００    リブ（固定用リブ、第一の突起部）
２４０１    リブ（固定用リブ、基板支持用リブ）
２４０１ａ  突起部（第二の突起部）
２４０１ｂ  支持部
２４０２    リブ（固定用リブ、基板支持用リブ）
２４０３    リブ（固定用リブ、基板支持用リブ）
２４０３ａ  溝
２４０３ｂ  覆い部（挟持部）
２４０３ｃ  支持部（挟持部）
２４０４    リブ（固定用リブ）
２４０４ａ    圧迫部
２４０４ｂ    嵌挿部
２４１０    構造物
２４１１    リブ
２４５１    内側リブ（リブ、内側のリブ）
２４５２    外側リブ（リブ、外側のリブ）
２４５３    固定用ボス
２４５４    切欠
２４５５    爪部（爪）
２４５６    固定用爪部
２４５７    爪部（係合部）
２４６２〜２４６４  嵌合部
２４７１    突出リブ
２４７２    突出リブ
２８        メイン回路
２９        電源回路
【図２】
2014224868.tif 000003
【図３】
2014224868.tif 000004
【図４】
2014224868.tif 000005
【図５】
2014224868.tif 000006
【図６】
2014224868.tif 000007
【図７】
2014224868.tif 000008
【図８】
2014224868.tif 000009
【図９】
2014224868.tif 000010
【図１０】
2014224868.tif 000011
【図１１】
2014224868.tif 000012
【図１２】
2014224868.tif 000013
【図１３】
2014224868.tif 000014
【図１４】
2014224868.tif 000015
【図１５】
2014224868.tif 000016
【図１６】
2014224868.tif 000017
【図１７】
2014224868.tif 000018
【図１８】
2014224868.tif 000019
【図１９】
2014224868.tif 000020
【図２０】
2014224868.tif 000021
【図２１】
2014224868.tif 000022
【図２２】
2014224868.tif 000023
【図２３】
2014224868.tif 000024
【図２４】
2014224868.tif 000025
【図２７】
2014224868.tif 000026
【図２８】
2014224868.tif 000027
【図２９】
2014224868.tif 000028
【図３０】
2014224868.tif 000029
【図３５】
2014224868.tif 000030
【図３６】
2014224868.tif 000031
【図３７】
2014224868.tif 000032
【図３８】
2014224868.tif 000033
【図３９】
2014224868.tif 000034
【図１】
2014224868.tif 000035
【図２５】
2014224868.tif 000036
【図２６】
2014224868.tif 000037
【図３１】
2014224868.tif 000038
【図３２】
2014224868.tif 000039
【図３３】
2014224868.tif 000040
【図３４】
2014224868.tif 000041
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
表示装置の背面を覆うためのバックキャビネットであって、
上記表示装置が有する光学シートの位置を規制するリブが、当該バックキャビネットの外縁に沿って設けられており、
上記リブには、上記表示装置が有する表示パネルの裏面を支持するシャーシであって上記バックキャビネットと共に上記光学シート及び拡散板を把持するシャーシに係合するための係合部が設けられており、
上記係合部は、上記リブの外側に向かって爪状に形成されており、上記シャーシが上記表示パネルの法線方向に移動することを防ぐように上記シャーシを係合する、
ことを特徴とするバックキャビネット。
【請求項２】
上記リブよりも外縁に近い位置には、上記シャーシと係合するための固定用ボスがさらに形成されており、
上記固定用ボスの端部には、上記シャーシを固定するための固定用爪部が、当該表示装置の内側に向かって形成されている、
ことを特徴とする請求項１に記載のバックキャビネット。
【請求項３】
請求項１又は２に記載のバックキャビネットを備えている、
ことを特徴とする表示装置。
【請求項４】
請求項３に記載の表示装置を備えている、
ことを特徴とするテレビジョン受像機。